(57)【要約】【課題】遊技盤の表面を発光させる際の不具合を解消する。【解決手段】遊技盤１０の盤本体１０ａには、電飾図柄３２に対応して投光孔３４が設けられ、投光孔３４にはフルカラーＬＥＤ４０を保持したランプケース３８が装着されている。フルカラーＬＥＤ４０の光を電飾図柄３２に照射するので、電飾図柄３２を発光させるに当たって、セル３０の構造は従来と同様でよく、遊技盤１０を透明にする必要はなく、セル３０（遊技盤１０の表面）に段差も生じない。また、遊技内容に対応させてセル３０に描かれた電飾図柄３２の発光、非発光を行うことによって、図柄表示装置１５とは異なる態様で演出することができる。【選択図】  図２
2004209039.tif 000002
【特許請求の範囲】
【請求項１】
盤本体の表面に装飾シートが貼着された遊技盤を備える弾球遊技機において、
前記盤本体に開けられた投光孔と、
前記装飾シートの前記投光孔の開口を閉塞する部分に描かれた電飾図柄と、
前記投光孔を通して前記電飾図柄に光を照射する光源と
を備えたことを特徴とする弾球遊技機。
【請求項２】
請求項１記載の弾球遊技機において、
前記光源はＬＥＤであることを特徴とする弾球遊技機。
【請求項３】
請求項１又は２記載の弾球遊技機において、
前記装飾シートの肉厚が０．４０ｍｍ以上であることを特徴とする弾球遊技機。
【請求項４】
請求項１、２又は３記載の弾球遊技機において、
前記装飾シートと前記盤本体との間に介装された背紙を備えることを特徴とする弾球遊技機。
【請求項５】
請求項４記載の弾球遊技機において、
前記背紙には前記投光孔の開口に対応する欠落部が設けられていることを特徴とする弾球遊技機。
【請求項６】
請求項１から５のいずれか１項に記載の弾球遊技機において、前記投光孔の内部に配されて前記装飾シートを支えるサポート部材を備えたことを特徴とする弾球遊技機。
【請求項７】
請求項６記載の弾球遊技機において、
前記サポート部材は前記光源からの光の進路を変化させるレンズであることを特徴とする弾球遊技機。
【請求項８】
請求項１から７のいずれか１項に記載の弾球遊技機において、前記光源に由来しない光が前記遊技盤の背面側から前記投光孔へ侵入するのを防止する遮光手段を備えたことを特徴とする弾球遊技機。
【発明の詳細な説明】
【０００１】
【発明の属する技術分野】
本発明は、弾球遊技機の技術分野に属する。
【０００２】
【従来の技術】
パチンコ機やアレンジボール式パチンコ機等の弾球遊技機は、入賞装置、障害釘、風車、図柄表示装置等が装着された遊技盤を備えており、遊技盤上おける遊技球の挙動（入賞するかしないか、どの入球口に入球するか等）で遊技が行われる。遊技盤の表面にはセルロイド、キャブロイド或いはポリエチレンテレフタレート（ＰＥＴ）等のシートに印刷を施した、いわゆるセルが貼着されており、セルに印刷された図案等によって装飾効果を高めていた。
【０００３】
また、例えば装飾効果を高めるために遊技盤をエレクトロルミネッセンス（ＥＬ）で発光させたり（例えば特開平９−８４９２８号公報）、遊技盤を光透過性の部材で構成して裏面側から投光する技術（例えば特開平５−２５３３３９号公報）、或いはセルとは異なる透明板を設けてその裏面から投光する構成（例えば特開２０００−１７６０８５号公報）等の提案がある。
【０００４】
【特許文献１】
特開平９−８４９２８号公報（図４）
【特許文献２】
特開平５−２５３３３９号公報（図６）
【特許文献３】
特開２０００−１７６０８５号公報（図２）
【０００５】
【発明が解決しようとする課題】
遊技盤をＥＬで発光させる場合（特開平９−８４９２８号公報等）、表面パネル（従来のセルに相当）の裏面にＥＬパネルを積層形成するので、セルシート自体の構造が複雑で製造工程も精密かつ複雑であった。また、ＥＬ制御のためのドライバＩＣ、ＥＬパネルから引き出された電極とドライバＩＣとの結線等も必要で、周辺構造も複雑であった。このため、簡易に採用できなかった。
【０００６】
遊技盤を光透過性の部材で構成して裏面側から投光する場合（特開平５−２５３３３９号公報等）、遊技盤を合成樹脂製としているので、入賞装置や図柄表示装置等の形状に応じた取付穴、障害釘や風車のための保持体等を遊技盤の成形時に設ける必要がある。ところが、上述の形状や配置（いわゆるゲージ構成）は個別の機種毎に変化するので、遊技盤も機種毎に成形する必要があり、合板製の遊技盤のような汎用性がなかった。
【０００７】
また、特開２０００−１７６０８５号公報に開示される、セルとは異なる透明板を設けてその裏面から投光する構成では、透明板との境界線においてセルがめくれるおそれがあり、このセルの周縁を例えば透明板の一部で押さえるような構造にせざるを得ない。すると遊技盤面に段差ができてしまうので実用性がない（規則上、遊技盤表面は平面でなければならない）。
【０００８】
このように、遊技盤面を発光させるための従来技術には、それぞれ欠点があった。
【０００９】
【課題を解決するための手段および発明の効果】
請求項１記載の弾球遊技機は、盤本体の表面に装飾シートが貼着された遊技盤を備える弾球遊技機において、前記盤本体に開けられた投光孔と、前記装飾シートの前記投光孔の開口を閉塞する部分に描かれた電飾図柄と、前記投光孔を通して前記電飾図柄に光を照射する光源とを備えたことを特徴とする。
【００１０】
光源から発した光が投光孔を通って装飾シートに当たって電飾図柄を光らせる構成であるから、装飾シート（以下、「セル」ともいう。）の構造は従来と同様でよく、遊技盤を透明にする必要はなく（合板製でよく）、装飾シート（すなわち遊技盤表面）に段差も生じない。
【００１１】
また、遊技内容に対応させてセルに描かれた電飾図柄の発光／非発光を行うことによって、図柄表示装置（ＬＣＤやドットセグメントなど）とは異なる態様で演出することができる。
しかも、図柄表示装置以外の領域で遊技内容についての演出を行うため、遊技者は図柄表示装置のみでなく他の状態も気にする必要があり、図柄表示装置の態様と関連させることにより、遊技機の興趣を高めることができる。
【００１２】
セルの材質は、上述したセルロイド、キャブロイド、ＰＥＴ等を採用できるが、セルロース系プラスチックであるセルロイド及びキャブロイドは熱や湿度による伸縮があるので、投光孔部分（背後に盤本体が存在しない）でたわむおそれがある。一方、ＰＥＴは熱や湿度による伸縮がほとんど無く、投光孔部分でたわむおそれもない。また、セルロース系プラスチックよりも強度が高い。従って、本発明の実施にはＰＥＴシートのセルが適している。
【００１３】
ただし、セルロイド、キャブロイドはもとより、ＰＥＴでも合成樹脂であり高温にさらされるのは好ましくないから、光源としては発熱性のある電球よりもＬＥＤの方が好ましい。すなわち、請求項２記載のように、前記光源をＬＥＤとするのが望ましい。なお、ＬＥＤには多色発光が可能なものがあるので、これを用いて光源の発光色を変化させるだけでも電飾図柄の彩色が変化するので装飾効果を高めることができる。
【００１４】
また、従来、セルの一般的な肉厚は０．２ｍｍ程度であったが、これでは投光孔部分（背後に盤本体が存在しない）の強度が不足する可能性がある。したがって、これよりも厚めに、すなわち請求項３記載のように、前記装飾シートの肉厚を０．４０ｍｍ以上とするのが望ましい。セルの肉厚を０．４０ｍｍ以上とすることにより、投光孔部分に対応するセルが破損又は損傷する可能性を極力低くすることができる。
【００１５】
合板製の盤本体とプラスチック製のセルとの組合せにおいては、両者の接合を良好にするためにセルと盤の間に上質紙を介在させることが行われている。
本発明においても、請求項４記載のように、前記装飾シートと前記盤本体との間に背紙を介装した構成を採用できる。背紙は上質紙でよいし、他の紙質でもよい。
【００１６】
この場合、請求項５記載のように、前記背紙には前記投光孔の開口に対応する欠落部（例えば切り抜き）を設ければ、背紙が光源からの光を遮らないから、電飾図柄の明るさが低下しない。一方、欠落部を設けなければ、背紙がセルの支えとなるので強度が向上する。また、光源からの光は背紙を通る際に反射されたり分散させられたりするので、電飾図柄の色合いが柔らかくなる。
【００１７】
上述したように、投光孔部分ではセルの背後に盤本体が存在しないので強度不足となる可能性がある。
したがって、請求項６のように、前記投光孔の内部に配されて前記装飾シートを支えるサポート部材を備えるのが好ましく、サポート部材を設けることにより投光孔部分に対応するセルの破損又は損傷する可能性を極力低くすることができる。
【００１８】
サポート部材の材質、形状などに特に限定はないが（光源からの光を遮断する等は別として）、請求項７記載のように、前記光源からの光の進路を変化させるレンズをサポート部材にするとよい。レンズをサポート部材にした場合、セルに描かれた電飾図柄に対してほぼ均一に投光して電飾図柄を視認し易くしたり、部分的に光の強弱を生じさせて電飾図柄の見え方をおもしろくすることもできる。
【００１９】
請求項８記載の弾球遊技機は、請求項１から７のいずれか１項に記載の弾球遊技機において、前記光源に由来しない光が前記遊技盤の背面側から前記投光孔へ侵入するのを防止する遮光手段を備えたので、電飾図柄の発光、非発光を光源の点灯、消灯によって明確に制御できる。
【００２０】
【発明の実施の形態】
次に、本発明をパチンコ機に適用した実施例により発明の実施の形態を説明する。
【００２１】
【実施例】
図１に示すように、本実施例の遊技盤１０にはガイドレール１１、１２によって囲まれた遊技領域１３が形成され、遊技領域１３にはセンターケース１４、これに保護される図柄表示装置１５、図柄始動口１６、普通入賞口１７、振分入賞装置１８、第３種始動口となる回転入賞装置１９、大入賞装置２０、風車２１、障害釘２２等が装着されている。本実施例のパチンコ機（全体の構成は公知技術に従っているので図示と説明を省略。）は、いわゆる第３種であり、図柄始動口１６、図柄表示装置１５、振分入賞装置１８、回転入賞装置１９及び大入賞装置２０の動作、機能等は公知の第３種パチンコ機と同様である。
【００２２】
本実施例の遊技盤１０の表面に貼られたセル（装飾シートに該当）３０には、遊技領域１３の上部２箇所の電飾図柄３２（デザインはハイビスカスの花）が設けられている。なお、セル３０は肉厚０．４ｍｍのＰＥＴシートに印刷を施したものである。
【００２３】
また、図２に示すように、遊技盤１０の盤本体（合板）１０ａには、電飾図柄３２の背後に対応して楕円状の投光孔３４が設けられている。そして、ランプケース３８は投光孔３４の内周に整合する形状の筒部３６を備えて、筒部３６の内側に複数（本実施例では６個）のフルカラーＬＥＤ（光源に該当）４０を保持したランプケース３８が、筒部３６を投光孔３４に嵌合させて遊技盤１０に取り付けられている。なお、ランプケース３８は、黒色の合成樹脂で成形されている。
【００２４】
詳細な構造は図３又は図４に示すとおりである。
まず、セル３０と盤本体１０ａとの間には上質紙が背紙３１として介装されている。図３に示す構成では投光孔３４に対面する部分にも背紙３１が存在するが、図４に示す例では投光孔３４に対応して背紙３１が切り取られて孔（欠落部に該当）３１ａが設けられている。
【００２５】
ランプケース３８は、取付片３９をビス（図示略）にて盤本体１０ａの裏面に止められて、遊技盤１０に固定されている。
フルカラーＬＥＤ４０はプリント基板４１に実装され、そのプリント基板４１がランプケース３８の内側に保持されている。またプリント基板４１に固定されたコネクタ４３を介してフルカラーＬＥＤ４０に電気が供給される。
【００２６】
電気的な構成の図示及び詳しい説明は省略するが、本実施例の場合フルカラーＬＥＤ４０への電気の通断等、すなわちフルカラーＬＥＤ４０の点灯、消灯及び発光色の制御は、図柄制御装置が行う。
図柄制御装置は図柄表示装置１５の表示制御を主たる役割とする。この図柄表示装置１５の表示制御は公知のパチンコ機と同様で、主制御装置（振分入賞装置１８、回転入賞装置１９及び大入賞装置２０の動作を制御する。）が、図柄始動口１６への入球に起因して当たりか否かの判定を行い、その判定結果に応じて当たり又は外れを示す特別図柄と変動パターンを決めて、それらの決定内容を示す図柄変動コマンドを送信してくるので、該図柄変動コマンドに従って行われる。
【００２７】
フルカラーＬＥＤ４０を点灯すると、フルカラーＬＥＤ４０から出た光が投光孔３４を通って電飾図柄３２に入射し、これを透過して遊技者側に放射されるので、図５（ａ）に示すように、電飾図柄３２が明るく発色して見える。なお、図５（ａ）は電飾図柄３２のみ透光性として、周囲は遮光性のインクをセル３０に印刷することで光非透過部分としている。
【００２８】
電飾図柄３２に着色されている場合と着色されていない場合とで違いはあるものの、フルカラーＬＥＤ４０の発光色を赤、青、黄などに変化させることで電飾図柄３２の発光色を変化させることができる。
なお、電飾図柄３２を線画（外形線のみ印刷して他はセル３０のＰＥＴのまま透明）とした場合に投光孔３４の内部が見えるおそれがある。しかし、本実施例ではランプケース３８により投光孔３４の背後からの光を遮断（遮光手段となっている。）しているので、フルカラーＬＥＤ４０を消灯しているときには投光孔３４内は暗くてよく見えない。一方、フルカラーＬＥＤ４０を点灯したときには、その光で投光孔３４の内部が全体的に明るくなるが、フルカラーＬＥＤ４０の背後（プリント基板４１等）はかえって目立たなくなる。つまり、ほどんど心配ない。
【００２９】
また、図５（ｂ）に示すように、電飾図柄３２の周囲を（例えば投光孔３４の形状に沿って）光透過部分としてもよい。
図５（ｂ）のように、電飾図柄３２の周囲の適当な範囲までも光透過部分にすると、フルカラーＬＥＤ４０の発光色に応じて複数の電飾図柄３２を切換表示するのに好都合である。その一例を図６にて説明する。
【００３０】
この例では、電飾図柄３２として赤色の線画であるハイビスカス図柄３２ａと黄色の線画である紅葉図柄３２ｂとが描かれている。
フルカラーＬＥＤ４０の消灯中は、図６（ａ）に示すように光透過部分は発色せず、赤色のハイビスカス図柄３２ａと黄色の紅葉図柄３２ｂとが重なって見える。
【００３１】
フルカラーＬＥＤ４０を黄色で発光させると、図６（ｂ）に示すように、光透過部分が黄色に発光するので、黄色の紅葉図柄３２ｂは地（黄色）に溶け込んで見えなくなり、黄色の地の中に赤色のハイビスカス図柄３２ａが浮き上がる。
フルカラーＬＥＤ４０を赤色で発光させると、図６（ｃ）に示すように、光透過部分が赤色に発光するので、赤色のハイビスカス図柄３２ａは地に溶け込んで見えなくなり、地の中に黄色の紅葉図柄３２ｂが浮き上がる。
【００３２】
このように、色を変えて複数の電飾図柄を描いておけば、フルカラーＬＥＤ４０の発光色に応じて各電飾図柄を発現させたり消滅させたりできる。
図６の例のように、色を変えて複数の電飾図柄を描いておき、フルカラーＬＥＤ４０の発光色に応じて各電飾図柄を発現、消滅させる場合は、図５に示すように背紙３１を切り抜いて孔３１ａを設けて光の透過性を高める方がよい。
【００３３】
また、電飾図柄の発光色を柔らかく見せたい場合には、図４に示すように孔３１ａ等は設けない方がよい。
［サポート部材を備える例］
図７に示すように、この例のランプケース３８にはレンズ支持板５１に立設された支持ボス５２が設けられており、その先端にサポート部材となるレンズ５３が取り付けられている。レンズ５３は、例えばアクリル等の透明な合成樹脂製で、背面（フルカラーＬＥＤ４０に対面する面）には光を分散させる加工（例えばローレットやシボ）が施されている。一方、表面は平滑な平面である。なお、サポート部材は光透過性な部材で構成され、セル３０を支持するのに必要な強度があればよい。
【００３４】
レンズ５３がセル３０の背面を支持するので、背紙３１を切り抜いて孔３１ａを設けても（孔３１ａ部分でセル３０の強度が低下しても）、セル３０の変形や損傷を防止できる。つまり、孔３１ａを設けて光を透過し易くでき、電飾図柄３２をより明るく見せることができる。
【００３５】
また、レンズ５３の作用により、フルカラーＬＥＤ４０からの光を電飾図柄３２に対してほぼ均一に投光することができ、例えば一点だけが明るく輝く等を防止できるから電飾図柄３２が視認し易くなる。
しかも、レンズ５３は光源からの熱がセル３０に達するのを防ぐ機能もある。この断熱材としての機能は、電球を光源とする場合にはきわめて有効である。
【００３６】
本例のようにサポート部材を設ければ、これを設けない場合と比較して投光孔３４の内部を遊技者から見え難くすることができる。特に、サポート部材がレンズ５３であれば投光孔３４の内部をさらに見え難くすることができる。
［遮光用のカバー部材を備える例］
図８に示すように、ランプケース３８の背後側に、黒色や濃色の合成樹脂で成形したカバー部材（遮光手段に該当）６０を配して投光孔３４の開口を覆ってしまえば、フルカラーＬＥＤ４０に由来しない光が遊技盤１０の背面側から投光孔３４へ侵入するのを確実に防止できる。
【００３７】
このように、余計な光が投光孔３４に入り込まないように構成することで、電飾図柄３２の発光、非発光（実際はフルカラーＬＥＤ４０の点灯、消灯）の区別を明確にできる。
一般に、パチンコ機等の弾球遊技機は遊技機設置島の両側に背中合わせ状態で配置されるので、例えば片側の遊技機に不具合があって前枠を開放したりすると、そこからの光が背中側の遊技機に射し込むことがある。このような光が投光孔３４に入射すると、電飾図柄３２は発光していない（フルカラーＬＥＤ４０は消灯）にもかかわらず、発光しているかのように見誤るおそれがある。
【００３８】
しかし、本例のようにカバー部材６０を配して背後から投光孔３４に光が射し込むのを遮断すれば、このような背後の光による不具合は発生することがなく、発光、非発光を明確にできる。
［電飾図柄の配置変形例］
図１に示す例では電飾図柄３２を遊技領域１３の上部（遊技球が頻繁に通過する場所）に配置しているが、他の場所に配置することも可能である。その一例を図９にて説明する。
【００３９】
図９に示す例では、電飾図柄はセンターケース１４の下方、２つの普通入賞口１７、１７に挟まれる位置に電飾図柄３２を配置している。この位置に限るわけではないが、センターケース１４の上端よりも下方なら（発射された遊技球が飛び込んでくると想定される範囲を避ければ）、図示するように電飾図柄３２の周囲に障害釘２２を配する等の進入防止手段を講じて、遊技球を電飾図柄３２に到達させないか、到達困難な構成としても遊技球の進路を不当にゆがめることになならない（遊技に大きな影響を与えない）。そして、このような進入防止手段にて電飾図柄３２を防護すれば、セル３０の強度を高めたり背後にサポート部材を備えて支持せずとも、電飾図柄３２部分におけるセル３０の変形や損傷を防止できる。
【００４０】
なお、図９では障害釘２２を用いて進入防止手段を構成しているが、遊技球の進入を妨げることができればよいため、例えば合成樹脂のプレートなど他の部材を用いて進入防止手段を構成しても何等差し支えない。
以上説明したように、実施例のパチンコ機は、遊技盤１０の盤本体１０ａに投光孔３４を設け、セル３０には投光孔３４の開口を閉塞する部分に電飾図柄３２を描き、投光孔３４内にはランプケース３８に保持されたフルカラーＬＥＤ４０を配置して、その光を電飾図柄３２に照射する構成としているので、セル３０の一部（ここでは電飾図柄３２）を発光させるに当たって、セル３０の構造は従来と同様でよく、遊技盤１０を透明にする必要はなく（合板製でよく）、セル３０（すなわち遊技盤１０の表面）に段差も生じない。
【００４１】
また、遊技内容に対応させてセル３０に描かれた電飾図柄３２の発光、非発光を行うことによって、図柄表示装置１５とは異なる態様で演出することができる。
しかも、図柄表示装置１５以外の領域で遊技内容についての演出を行うため、遊技者は図柄表示装置１５のみでなく他の状態も気にする必要があり、図柄表示装置１５の態様と関連させることにより、遊技の興趣を高めることができる。
【００４２】
セル３０の材質はＰＥＴであるので、熱や湿度による伸縮がほとんど無く強度も高いから、投光孔３４部分でたわむおそれもない。
電飾図柄３２を発光させるための光源としてフルカラーＬＥＤ４０を採用したので、光源の発熱で電飾図柄３２（セル３０）が影響を受けることはなく、加熱による変形、破損等のおそれはない。
【００４３】
また、セル３０の肉厚を０．４ｍｍとしているので、投光孔３４部分に対応する部分でセル３０が破損又は損傷する可能性を極力低くすることができる。
セル３０を盤本体１０ａに貼り付ける際に盤本体１０ａの間に背紙３１を介在させることが可能であり、これにより合板製の盤本体１０ａとプラスチック製のセル３０の接合を良好にできる。
【００４４】
図４に示すように、その背紙３１に投光孔２４の開口に対応する孔３１ａを設ければ、背紙３１がフルカラーＬＥＤ４０からの光を遮らないから、電飾図柄３２の明るさが低下しない。一方、図３に示すように、孔３１ａを設けなければ、背紙３１がセル３０の支えとなるので強度が向上するし、フルカラーＬＥＤ４０からの光が背紙３１を通る際に反射されたり分散させられたりするので、電飾図柄３２の色合いが柔らかくなる。
【００４５】
電飾図柄３２部分におけるセル３０の強度に不安があるなら、投光孔３４の内部にサポート部材を備えてセル３０を支えればよい。
図７に示すように、そのサポート部材としてレンズ５３を用いて、フルカラーＬＥＤ４０からの光を拡散させて、セル３０に描かれた電飾図柄３２に対してほぼ均一に投光するので、電飾図柄３２を視認し易くなっている。
【００４６】
また、図８に示すようにカバー部材６０を設けてフルカラーＬＥＤ４０に由来しない光が遊技盤１０の背面側から投光孔３４へ侵入するのを防止すれば、電飾図柄３２の発光、非発光をフルカラーＬＥＤ４０の点灯、消灯によって明確に制御できる。
【００４７】
そして、図９にて説明したように電飾図柄３２（投光孔３４）の周辺に障害釘２２を植設して、投光孔３４部分に遊技球が接触し難いか接触しないように構成することで、セル３０の破損又は損傷する可能性を極力低くすることができる。さらに、光源としてフルカラーＬＥＤ４０を用いているので、フルカラーＬＥＤ４０の発光色とセル３０に描かれた電飾図柄３２の彩色によって、電飾図柄３２が変化し、単一の電飾図柄３２を用いながらも発光、非発光以外の複数種類の演出を可能とできる。
【００４８】
また、図６を参照して説明したように、互いに色を異ならせた複数の電飾図柄を設けて、フルカラーＬＥＤ４０発光色に応じて電飾図柄のいずれか１つを発現させて他の電飾図柄は消滅させる（見えなくする）ことも可能であり、複雑、多様な演出が可能になる。
【００４９】
以上、実施例に従って、本発明の実施の形態について説明したが、本発明はこのような実施例に限定されるものではなく、本発明の要旨を逸脱しない範囲でさまざまに実施できることは言うまでもない。
【図面の簡単な説明】
【図１】実施例の遊技盤の正面図。
【図２】実施例の遊技盤の構造説明図。
【図３】投光孔にランプケースを装着した状態の説明図。
【図４】投光孔にランプケースを装着した状態の説明図。
【図５】実施例における電飾図柄の発光説明図。
【図６】色が異なる電飾図柄の発光説明図。
【図７】レンズを備える例の説明図。
【図８】遮光用のカバー部材を備える例の説明図。
【図９】電飾図柄の配置変形例の説明図。
【符号の説明】
１０        遊技盤
１０ａ    盤本体
１３        遊技領域
２４        投光孔
３０        セル（装飾シート）
３１        背紙
３１ａ    孔（欠落部）
３２        電飾図柄
３２ａ    ハイビスカス図柄
３２ｂ    紅葉図柄
３４        投光孔
３８        ランプケース
４０        フルカラーＬＥＤ（光源）
５３        レンズ（サポート部材）
６０        カバー部材（遮光手段）
【図１】
2004209039.tif 000003
【図２】
2004209039.tif 000004
【図３】
2004209039.tif 000005
【図４】
2004209039.tif 000006
【図５】
2004209039.tif 000007
【図６】
2004209039.tif 000008
【図７】
2004209039.tif 000009
【図８】
2004209039.tif 000010
【図９】
2004209039.tif 000011